(57)【要約】【目的】既存の各種地下構造物に対してもワンタッチで着脱が可能であり、点検時にマンホール内への作業者の進入を容易にする地下構造物中蓋を提供する。【構成】拡大によって開口内壁に接触可能となり、縮小によって開口内壁から離れるように形成された２個の枠部２１、２２と、開口１５の内部を覆うために、各枠部２１、２２に一個ずつ設けられた板状の中蓋部材２３、２４とから成り、２個の枠部２１、２２はそれらがワンタッチ操作で接・離可能に設けられており、２個の蓋部材２３、２４は夫々が上方又は下方へのみ開くように各枠部２１、２２に取り付けられているとともに、両中蓋部材２３、２４を閉じた状態において開閉端部が重なるように構成する。【選択図】　　　　図５
2004052422.tif 000002
【特許請求の範囲】
【請求項１】
地下構造物の開口を閉じる蓋体の内側に設けられる中蓋であって、拡大によって開口内壁に接触可能となり、縮小によって開口内壁から離れるように形成された２個の枠部と、開口の内部を覆うために、各枠部に１個ずつ設けられた板状の中蓋部材とから成り、２個の枠部はそれらがワンタッチ操作で接・離可能に設けられており、２個の中蓋部材は夫々が上方又は下方へのみ開くように各枠部に取り付けられているとともに、両中蓋部材を閉じた状態において開閉端部が重なる構成を有することを特徴とする地下構造物用中蓋。
【請求項２】
２個の枠部の端部間において、２個の枠部を、接触と離間を可能に結合する結合部を設け、結合部は、拡大により２個の枠部が開口内壁に接し圧力を高めて押し付けるために設けられている請求項１記載の地下構造物用中蓋。
【請求項３】
２個の枠部の接・離をワンタッチ操作で可能とするために、ワンタッチ操作のための操作部材の動きによって２個の枠部が少なくとも離れる動作をするように関係付けられた動作機構が枠部に設けられている請求項１記載の地下構造物用中蓋。
【発明の詳細な説明】
【０００１】
【発明の属する技術分野】
本発明は、地下構造物の開口を閉じる蓋体の内側に設けられる防臭等のための中蓋に関するものである。
【０００２】
【従来の技術】
地下構造物内部では様々な箇所においてガスが発生することがあり、ガスの発生により内部圧力が上昇すると、最悪の場合には鉄蓋をはね飛ばすというような危険を招くために、様々な対策が講じられている。その中には特開平１１−２８００９５号、同１１−２８００９６号、特許公開２００１−１８２１３９号等の発明がある。これらの発明の内、或るものは構成が複雑で製造コストも高くなると推測され、また新設しか考えていないため既存のマンホールに後から取り付けるには受枠を一旦取り外すという大工事が必要となるという問題がある。さらに点検時に作業者がマンホールに入れないという欠点もある。また前記発明の内、他の或るものは、中蓋がマンホールの内方にしか開かず、従って集中豪雨等の際に下水が吹き出した場合には中蓋が破損してしまうという問題があった。
【０００３】
【発明が解決しようとする課題】
本発明は前記の点に着目してなされたものであって、その課題は、少なくとも地下構造物内の圧力が上昇したり下水から吹き出したような場合には、防臭用に装備されている中蓋の一部が開いて外部へ排出可能とすることであり、かつ、降雨等を原因として地下構造物の外部から水が浸入し、中蓋に圧力が加わったときに、水を地下構造物内へ排水可能とすることである。また本発明の他の課題は、既存の各種の地下構造物に対してもワンタッチで着脱が行えるとともに、点検時に作業者のマンホール内への進入を容易にすることである。
【０００４】
【課題を解決するための手段】
前記の課題を解決するため本発明は、拡大によって開口内壁に接触可能とな
り、縮小によって開口内壁から離れるように形成された２個の枠部と、開口の内部を覆うために、各枠部に１個ずつ設けられた板状の中蓋部材とから成り、２個の枠部はそれらがワンタッチ操作で接・離可能に設けられており、２個の中蓋部材は夫々が上方又は下方へのみ開くように各枠部に取り付けられているととも
に、両中蓋部材を閉じた状態において開閉端部が重なるように構成するという手段を講じたものである。
【０００５】
【発明の実施の形態】
本発明に係る中蓋は、地下構造物の開口を閉じる蓋体の内側に設けられるものである。例えば下水の合流部ではガスの発生が特に顕著となるので、異臭が外部に漏れるのを防ぐことを主目的として中蓋を設置する。従って、中蓋は、開口内をほぼ覆うことができる大きさ、形状を持ち、かつ臭気が上がってこないように遮断できる構造を有する必要がある、その一方では外部の水が地下構造物内へ流れ込み得る状態を保っておく必要がある。
【０００６】
そのため本発明では、地下構造物に対する開閉可能な中蓋の取り付け手段として２個に分割された枠部を設ける。当該枠部は拡縮の可能なものとし、拡大によって開口内壁に接し、縮小によって開口内壁から離れるように形成されている。枠部は、地下構造物の開口内壁とほぼ同形の円形に形成され、しかも、結合部によって拡大、縮小可能となっているものである。このような枠部としては、開口内壁に接触する外側部分と、その内側に設けられている内側部分とから成る形態を取り得る。
【０００７】
開口の内部を覆うために、各枠部に１個ずつ板状の中蓋部材が設けられる。２個の中蓋部材は、一部が異なる材料から成っていても良いし、全部が同じ材料から成っていても良く、また形態も自由に決められる。しかし、一方の中蓋部材は一方の枠部に取り付けられ、他方の中蓋部材は他方の枠部に取り付けられていることが必要であり、その内いずれか一方の中蓋部材は上方へのみ開き、また他の一方の中蓋部材は下方へのみ開くように各枠部に取り付けられ、閉じた状態では両中蓋部材の開閉端部が重なるように設けられる。中蓋部材は軽量に形成されることが望ましい。
【０００８】
上記２個の枠部の端部間に、接触と離間を可能に結合する結合部を設ける。結合部は、拡大により２個の枠部が開口内壁に接し圧力を高めて押し付けるために必要なものである。
【０００９】
２個の中蓋部材の接近・離間動作をワンタッチ操作によって実現可能とするための手段は２個の枠部に設けられている。本発明におけるワンタッチ操作とは、一つの操作によって２個の中蓋部材が少なくとも外方へ開いて離れることを言
う。２個の中蓋部材を内方へ閉じて接しさせることは特別の構成を必要とせずに可能である。２個の枠部及び中蓋部材の接・離をワンタッチ操作で可能とするために、ワンタッチ操作のための操作部材の動きによって２個の枠部が少なくとも離れる動作をするように関係付けられた動作機構が設けられる。２個の枠部が接近するためには、２個の枠部を離している部材を取り去れば後は手作業でも良いので、枠部の接近動作のための機構は絶対に必要という訳ではない。但し、２個の枠部の分離を防止する手段は設けても良い。
【００１０】
各枠部分に各１個ずつ設けられている中蓋部材を閉じ位置に保持するために、各中蓋部材がばね手段によって外方又は内方へ付勢されている場合、地下構造物の内方から加えられる圧力と、外方から加えられる圧力の両方に対処することができ、かつまた圧力が除かれたときに原状（閉じる位置）に復するものとすることができる。ここで、圧力は気体の圧力や下水からの吹き出しによる水圧、物の荷重としての外力など含む。よって、内圧上昇時にその圧力をばね手段の付勢力に抗して外部へ逃がし、圧力差がなくなれば閉じた状態へ戻るとともに、外部から地下構造物内に水が侵入したような場合には水の荷重によって他の一部の中蓋部材が開き、地下構造物内への排水が可能になり、水が侵入しなくなれば閉じた状態に戻る。しかし、各中蓋部材が上方又は下方へのみ開くように枠部に係合によって保持されていても良く、その場合には係合が外れて特に下方へ開いた中蓋部材を閉じた状態に戻すようにすれば良い。
【００１１】
【実施例】
図示の実施例を参照して本発明をさらに詳細に説明する。図１及び図２は地下構造物及びそこに装着した本発明に係る中蓋装置を示しており、１１はいわゆるマンホール上部を構成する側塊、１２は高さ調整のための調整リング、１３は蓋受け枠、１４は地下構造物の開口を閉じる蓋体、１５はその開口を示す。
【００１２】
本発明に係る中蓋２０は、図３以下に詳細に示されているように、開口内壁に接触可能な形状、寸法に設けられている２個一対の枠部２１、２２と、同枠部２１、２２に各１個ずつ設けられた計２個の中蓋部材２３、２４を具備しており、２個一対の枠部２１、２２は円形の開口１５よりも僅かに小径の円形枠を正２分した形状の剛性材から成る。このような枠部２１、２２は、同一の形状、構造を有するもの２個で構成され、各枠部は開口内壁に接する外枠２５とその内側に設けた内枠２６とを有し、外枠外周には気密性と摩擦抵抗の向上のためにスポンジより成るパッキング手段２７を１個又は複数個有している（図３参照）。これに対して中蓋部材２３、２４はほぼ半円形状を有する剛性の板材から成る。実施例では２個の中蓋部材２３、２４の内、上に配置される中蓋部材２３はワンタッチ操作のための動作機構３５を内枠上に設けるスペースのために小型に形成され、下に配置される中蓋部材２４は内枠内に入り込んで段差を埋め、２個の中蓋部材２３、２４の重なり部３０に隙間が生じないようにする高まり面２９を上面に有している（図４、図５参照）。
【００１３】
一方の枠部２１の上に配置される中蓋部材２３は上方へ、他の一方の枠部２２の下に配置される中蓋部材２４は下方へ開くように、各枠部２１、２２にヒンジ結合されている。ヒンジ結合のために実施例では、ばね板の機能を有するほぼＬ字形の弾性部材３１、３２を使用して各枠板２１、２２と各中蓋部材２３、２４とを結合している。従って各中蓋部材２３、２４は夫々閉じ方向へ弾性的に付勢されているので、上位の中蓋部材２３が枠部２１の上面に接触しているのは勿論のこと、下位の中蓋部材２４も、何も外力が加えられていない通常の状態では枠部２２の下面に接触する状態を保つ。図５において、３３、３４は止め板を示しており、弾性部材３１、３２の中蓋部材側における取り付け具である。
【００１４】
このような構成を有する中蓋装置の接・離をワンタッチ操作で可能にする動作機構３５が枠部２１、２２に設けられている。枠部２１、２２には同一の形状、構造のものが設けられており、各々の動作機構３５は同一の構造である。その動作機構３５は内枠２６の接・離部近くに回転可能に軸支されたレバー状の操作部材３６を有し、操作部材３６には回転軸心３６ａからの径を変化させたカム部
３７が設けてあり、相手枠部のカム受け部３８と接触して、２個の枠部２１、
２２を離間させることができる。３９は相手駒でありカム受け部３８を設けるために内枠２６の接・離部近くに設けられている。
【００１５】
実施例において２個の枠部２１、２２は、一体性を伴って接・離可能であるように結合部４０によって結合されている。結合部４０として、相手外枠の端部に相互に雌雄嵌合するように嵌合部４１、４２が設けられ、それによって外枠周方向へ抜き差し可能に一体化された構造となっている。２個の枠部２１、２２が分離しないように結合部４０の一方には抜け止め４３が設けられており、また他の一方には抜け止め４３を止めるストッパー４４が設けられている。
【００１６】
このような構成を有する本発明の地下構造物用中蓋２０は、蓋受け枠１３を載置した調整リング１２の内壁に、互いに接近状態にある枠部２１、２２をパッキング２７、２７を介して当接させ、動作機構３５の操作部材３６を操作して２個の枠部２１、２２を押し広げ、径を拡大させることによって、地下構造物側に装着する。この装着作業は、操作部材３６を各図において左回転するワンタッチ操作によって、２個の枠部２１、２２が押し離されるので、非常に容易に僅かな時間で完了する。
【００１７】
このような装着状態において、中蓋２０にはパッキング２７、２７が装着さ
れ、かつ、２個の中蓋部材２３、２４の開閉部材に重なり部３０が設けられているので、地下構造物内の臭気を効果的に遮断することができる。また例えば降雨による水が開口１５に流れ込み、下位の中蓋部材２４を支えている弾性部材３２の付勢力に打ち克つようになると、同部材２４が下方へ開き、水を地下構造物内へ落下させる。他方、集中豪雨等により地下構造物の内部から下水が吹き出すような場合には、上位の中蓋部材２３がそれを閉じている弾性部材３１の付勢力に抗して上方へ開くので、下水は外部へ排出できることとなる。内圧が上昇したときも同様であり、内圧により上位の中蓋部材２３が開いて外部へ放出する。この間、蓋体１４はヒンジ部４５とロック部４６とによって蓋受け枠１３に繋ぎ止められているので蓋体１４が飛ばされることはない。
【００１８】
降雨の流入や下水の吹き出し等が止まれば、下位の中蓋部材２４及び上位の中蓋部材２３共、弾性部材３１、３２によって図１に示される原状態に戻る。なお点検等のために地下構造物内へ作業者が入る必要があるときは、動作機構３５を操作して狭ばめ、地下構造物から一時取り外せば良い。この際の狭ばめる操作も即座に行ない得るので出入り容易である。
【００１９】
【発明の効果】
本発明は前記の如く構成されかつ作用するものであるから、開閉端部が重なる２個の中蓋部材によって、平時には下水等の臭気が外部に漏れるのを防止することができるとともに、地下構造物内の圧力が上昇したり、下水が吹き出したりした場合には一方の中蓋部材が上方へ開いてそれらを外部へ排出し、また雨水等が流入した場合には一方の中蓋部材が下方へ開いて地下構造物内へ流れ込むことを可能にするものであり、特に本発明は、中蓋を地下構造物に装着する作業を動作機構のワンタッチ操作によって行えるという顕著な効果を奏する。
【図面の簡単な説明】
【図１】本発明に係る地下構造物用中蓋の実施例を示す縦断面図。
【図２】中蓋部材の夫々が下方及び上方へ開くことを示す縦断面図。
【図３】２個の枠部を示す平面図。
【図４】２個の中蓋部材を示す平面図。
【図５】中蓋の平面図。
【図６】動作機構の実施例を示す斜視説明図。
【図７】結合部の実施例を示す側面説明図。
【符号の説明】
１５　地下構造物の開口
２０　中蓋
２１、２２　枠部
２３、２４　中蓋部材
３０　重なり部
３１、３２　弾性部材
３５　動作機構
３６　操作部材
４０　　結合部
【図１】
2004052422.tif 000003
【図２】
2004052422.tif 000004
【図３】
2004052422.tif 000005
【図４】
2004052422.tif 000006
【図５】
2004052422.tif 000007
【図６】
2004052422.tif 000008
【図７】
2004052422.tif 000009